(57)【要約】【課題】空気調和機におけるエアフィルタ清掃機構の効果を最大化することを目的とする。【解決手段】エアフィルタ９０１，９０２の自動清掃において清掃効果を最大とする為に、エアフィルタの清掃開始信号が出されると共に、ファン１００３を停止させることで、ファン１００３の吸引力によりエアフィルタ９０１，９０２に塵埃が吸い寄せられことでの、吸引ノズル９０３の吸引性能が低下するのを防止し、清掃能力を最大限にする空気調和機を得ることが可能となるものである。【選択図】図６
2010019551.tif 000002
【特許請求の範囲】
【請求項１】
空気中の塵埃を捕集するエアフィルタと、前記エアフィルタに沿って移動可能な吸引ノズルと、その吸引ノズルの吸引孔から吸引した塵埃を排出する機能を有し、清掃機能が開始後、所定時間経過後に圧縮機を運転させる手段を具備したことを特徴とする空気調和機。
【請求項２】
空気中の塵埃を捕集するエアフィルタと、前記エアフィルタに沿って移動可能な吸引ノズルと、その吸引ノズルの吸引孔から吸引した塵埃を排出する機能を有し、かつ吸引部での清掃作業が左右往復動作をもって一動作とする場合において、吸引ノズルの位置が左端に来ているか否かによって、圧縮機の運転を開始させる手段を具備したことを特徴とする請求項１記載の空気調和機。
【請求項３】
空気中の塵埃を捕集するエアフィルタと、前記エアフィルタに沿って移動可能な吸引ノズルと、その吸引ノズルの吸引孔から吸引した塵埃を排出する機能を有し、かつ吸引部での清掃作業が左右往復動作をもって一動作とする場合において、左側リミットＳＷがＯＮされたか否かによって、圧縮機の運転を開始させる手段を具備したことを特徴とする請求項２記載の空気調和機。
【発明の詳細な説明】
【技術分野】
【０００１】
本発明は空気調和機に関するものであり、さらに具体的にはエアフィルタの自動清掃に関するものである。
【背景技術】
【０００２】
従来、空気調和機は、図１０に示すように、ファン１００３によって吸込んだ空気を熱交換器１００２で冷却もしくは加熱した後、室内へ送風する空気調和機１００６には、吸込む空気に漂う塵埃が空気調和機の本体内部へ侵入することを防ぐため、空気調和機の吸込口裏面で熱交換器１００２の前面にエアフィルタ９０２が設けられている。このエアフィルタの上を移動自在のごみ吸引部によりエアフィルタに付着した塵埃を吸引装置にて吸引することで除去するものがあった（例えば、特許文献１参照）。
【先行技術文献】
【特許文献】
【０００３】
【特許文献１】特開２００２−３４０３９５号公報
【発明の概要】
【発明が解決しようとする課題】
【０００４】
しかしながら、公知技術の自動のエアフィルタ清掃装置では塵埃の吸引性能の確保については考慮されておらず、吸引装置の出力を増大させるしか術がない状態であった。
【０００５】
本発明はこれらの課題を鑑み、塵埃の吸引性能を確保すると共に、ごみを自動的に清掃するフィルタ清掃機能付の空気調和機を提供することを目的とする。
【発明の効果】
【０００６】
本発明の空気調和機は、本発明は定期的なメンテナンスを要せず、容易にエアフィルタの清掃を行うとともに、ユーザーの利便性を向上させることができる。
【図面の簡単な説明】
【０００７】
【図１】本発明の実施の形態における空気調和機のフローチャート
【図２】本発明の実施の形態における空気調和機のフローチャート
【図３】本発明の実施の形態における空気調和機のフローチャート
【図４】本発明の実施の形態における空気調和機のフローチャート
【図５】本発明の実施の形態における空気調和機のフローチャート
【図６】本発明の実施の形態における空気調和機のフローチャート
【図７】本発明の実施の形態における空気調和機のフローチャート
【図８】本発明の実施の形態における空気調和機のフローチャート
【図９】本発明が適用する空気調和機のエアフィルタ清掃機構を示す斜視図
【図１０】本発明が適用する空気調和機の断面図
【発明を実施するための形態】
【０００８】
第１の発明は、前記ごみ吸引部での清掃作業開始からｎ分経過後に、エアコンの圧縮機の運転を開始することで、掃除作業中の間ずっと圧縮機を停止する事でのエアコン立上げ特性が悪化するという不具合を生じるのを最小限とする事を可能にしたものである。
【０００９】
第２の発明は、前記ごみ吸引部での清掃作業を左右往復動作をもって一動作とする場合において、片側の清掃が終わった時点でエアコンの圧縮機の運転を開始することで、掃除
作業中の間ずっと圧縮機を停止する事でのエアコン立上げ特性が悪化するという不具合を生じるのを最小限とする事を可能にしたものである。
【００１０】
第３の発明は、前記ごみ吸引部での清掃作業を左右往復動作をもって一動作とする場合において、片側のリミットｓｗが入った時点でエアコンの圧縮機の運転を開始することで、掃除作業中の間ずっと圧縮機を停止する事でのエアコン立上げ特性が悪化するという不具合を生じるのを最小限とする事を可能にしたものである。
【００１１】
以下本発明の実施の形態について図面を参照して説明する。なお、この実施の形態によって本発明が限定されるものではない。
【００１２】
図９は、本発明の実施の形態における空気調和機のエアフィルタ清掃機構を示した図である。この図において熱交換器を通過する空気の塵埃を除去するエアフィルタは、フィルタ枠９０１と、フィルタ網９０２から構成され、そのエアフィルタの表面に沿って移動可能な吸引ノズル９０３が設けられる。吸引ノズル９０３は、エアフィルタと一定の距離を保って円滑に移動することができる。吸引ノズル９０３は吸引装置９０４に連結されており、エアフィルタ上に付着した塵埃は吸引ノズル９０３より吸引される。また吸引ノズルの動作としては一例として左右方向に動作され、その往復動作は９０５のリミットＳＷのＯＮ／ＯＦＦにて確認され、動作方向の切換えが実施される。
【００１３】
また、図１０は空気調和機を示す断面図であり、背景技術で使用した図面であるが、本発明に適用するものである。但し、図９で説明したエアフィルタの清掃機構については省略している。図１０において、エアコン本体の熱交換器１００２の風上側にエアフィルタ枠１００１が構成されている。通常の使用ではファン１００３が運転されることで、風が生じ熱交換が行われる。そしてその風上のエアフィルタにて埃塵が除去され、フィルタ上に蓄積される。また１００４は自動可能な上下羽根であり、１００５は可動パネルを示している。
【００１４】
（実施の形態１）
図６は、本発明の第１の実施の形態における空気調和機のフローチャートを示すものである。
【００１５】
図６において、６０２はフィルタ掃除ＯＮかＯＦＦかの判定手段であり、ＯＮを認識すると６０３にてファンが停止される。そのファンが停止されると６０４にて圧縮機が停止される。その後掃除機能が実施され、６０６の掃除機能開始後ｎ分経過後判定手段により経過が確認されると圧縮機が運転されるものである。つまり、掃除機能が終了する前のファンが運転される前に圧縮機のみを運転されるものであり、逆に言えば圧縮機の信頼性が保たれる範囲内で内ファンが停止の運転が行われる事となる。結果、清掃作業開始からｎ分経過後にエアコンの圧縮機の運転を開始することで、掃除作業中の間ずっと圧縮機を停止する事でのエアコン立上げ特性が悪化するという不具合を生じるのを最小限とする事を可能にしたものである。
【００１６】
（実施の形態２）
図７は、本発明の第２の実施の形態における空気調和機のフローチャートを示すものである。
【００１７】
図７において、７０２はフィルタ掃除ＯＮかＯＦＦかの判定手段であり、ＯＮを認識すると７０３にてファンが停止される。そのファンが停止されると７０４にて圧縮機が停止される。その後掃除機能が実施され、７０６の吸引ノズルの位置確認手段により左端にノズルがきていることを確認されると圧縮機が運転されるものである。つまり、掃除機能が
終了する前のファンが運転される前に圧縮機のみを運転されるものであり、逆に言えば圧縮機の信頼性が保たれる範囲内で内ファンが停止の運転が行われる事となる。結果、吸引ノズルが左端にきてからエアコンの圧縮機の運転を開始することで、掃除作業中の間ずっと圧縮機を停止する事でのエアコン立上げ特性が悪化するという不具合を生じるのを最小限とする事を可能にしたものである。
【００１８】
（実施の形態３）
図８は、本発明の第３の実施の形態における空気調和機のフローチャートを示すものである。
【００１９】
図８において、８０２はフィルタ掃除ＯＮかＯＦＦかの判定手段であり、ＯＮを認識すると８０３にてファンが停止される。そのファンが停止されると８０４にて圧縮機が停止される。その後掃除機能が実施され、８０６の左側リミットＳＷのＯＮが確認されると圧縮機が運転されるものである。つまり、掃除機能が終了する前のファンが運転される前に圧縮機のみを運転されるものであり、逆に言えば圧縮機の信頼性が保たれる範囲内で内ファンが停止の運転が行われる事となる。結果、吸引ノズルが左端にきてからエアコンの圧縮機の運転を開始することで、掃除作業中の間ずっと圧縮機を停止する事でのエアコン立上げ特性が悪化するという不具合を生じるのを最小限とする事を可能にしたものである。
【産業上の利用可能性】
【００２０】
以上のように、本発明にかかる空気調和機は、定期的なメンテナンスを要せず、容易にエアフィルタの清掃を行う際に、その効果を最大限のものとすると共に、圧縮機の信頼性を確保する事が出来るとともに、種々の空気調和機に適用できる。
【符号の説明】
【００２１】
９０１  フィルタ枠
９０２  フィルタ網
９０３  吸引ノズル
９０４  吸引装置
９０５  リミットＳＷ
１００１  フィルタ枠
１００２  熱交換器
１００３  ファン
１００４  上下羽根
１００５  可動パネル
【図１】
2010019551.tif 000003
【図２】
2010019551.tif 000004
【図３】
2010019551.tif 000005
【図４】
2010019551.tif 000006
【図５】
2010019551.tif 000007
【図６】
2010019551.tif 000008
【図７】
2010019551.tif 000009
【図８】
2010019551.tif 000010
【図９】
2010019551.tif 000011
【図１０】
2010019551.tif 000012